(57)【要約】【課題】  電子機器を携帯したままでも容易に使用することができるキャリーバックを提供すること。【解決手段】  キャリーバックの内部を第１収納部と第２収納部とに仕切る仕切部材を有し、第１収納部は、プリンタを収納すると共に、プリンタが収納された状態であってもプリンタの操作および排紙が可能であるようにキャリーバック外部に対して露出する部位を有し、第２収納部は、プリンタに接続される接続ケーブルを少なくとも収納可能であり、仕切部材には、接続ケーブルを挿通可能な挿通穴が少なくとも一つ設けられており、接続ケーブルがプリンタに接続され且つ挿通穴を通った状態で接続ケーブルが第２収納部に収納可能であり、さらに第２収納部をキャリーバック外部に対して露出可能とするための開閉部が設けられていることを特徴とするキャリーバックを提供する。【選択図】  図１
2007210280.tif 000002
【特許請求の範囲】
【請求項１】
キャリーバックの内部を第１収納部と第２収納部とに仕切る仕切部材を有し、
前記第１収納部は、プリンタを収納すると共に、前記プリンタが収納された状態であっても前記プリンタの操作および排紙が可能であるようにキャリーバック外部に対して露出する部位を有し、
前記第２収納部は、前記プリンタに接続される接続ケーブルを少なくとも収納可能であり、
前記仕切部材には、前記接続ケーブルを挿通可能な挿通穴が少なくとも一つ設けられており、
前記接続ケーブルが前記プリンタに接続され且つ前記挿通穴を通った状態で前記接続ケーブルが前記第２収納部に収納可能であり、さらに前記第２収納部をキャリーバック外部に対して露出可能とするための開閉部が設けられていることを特徴とするキャリーバック。
【請求項２】
前記第２収納部は、さらに前記プリンタに使用される部材を収納可能であることを特徴とする請求項１に記載のキャリーバック。
【請求項３】
前記プリンタに使用される部材には、前記プリンタ用の予備電池、前記プリンタ用の記録紙の少なくともいずれかが含まれることを特徴とする請求項２に記載のキャリーバック。
【請求項４】
前記プリンタの使用者の肩にかけるための肩掛部をさらに備え、
使用者が前記肩掛部を肩にかけた状態で、前記第１収納部が上側に前記第２収納部が下側にそれぞれ配置されることを特徴とする請求項１から３のいずれかに記載のキャリーバック。
【請求項５】
前記開閉部は、前記キャリーバックの側面であって前記第２収納部に対応する位置に設けられていることを特徴とする請求項４に記載のキャリーバック。
【請求項６】
前記第１収納部における外部に対して露出する部位には、前記プリンタの赤外線送受信部に対応する部位が含まれることを特徴とする請求項１から５のいずれかに記載のキャリーバック。
【請求項７】
前記第２収納部には、前記プリンタ用の予備電池を保持するための予備電池保持部が設けられていることを特徴とする請求項１から６のいずれかに記載のキャリーバック。
【発明の詳細な説明】
【技術分野】
【０００１】
この発明は、電子機器を収納して携帯可能とするキャリーバックに関する。
【背景技術】
【０００２】
プリンタ等の電子機器を収納すると共に持ち運ぶことを可能とする様々なバックやケースが開発されている。
【０００３】
例えば、特許文献１には、ラベルプリンタの衝撃保護作用や携帯性向上作用等の長所を損なうことなく、ラベルプリンタをキャリングケースから取り出さずに使用可能なラベルプリンタ用キャリングケースが記載されている。このキャリングケースは、ラベルプリンタを保持する底体と、該底体に係合してラベルプリンタの全体を上方から包囲する蓋体とを備え、該底体はラベル排出口から排出される排出経路上にラベル案内スペースを有している。
【０００４】
また、特許文献２には、ケース型鞄本体及び前記ケース型鞄本体に接続される持ち上げ装置を含み、前記ケース型鞄本体は電子製品を収納するための空間を有し、前記ケース型鞄本体の任意の適切な箇所にインターフェース接続端子を設置することを特徴とするケース型鞄が記載されている。
【０００５】
また、特許文献３には、プリンタをケースに収容した状態でプリント作業を可能にするキャリングケースが記載されている。このキャリングケースは、少なくともプリンタからプリント済みの記録媒体が排出される記録媒体排出口を露呈する開口と、ケース外面に設けられプリンタが有するコネクタと同一形状の外部コネクタと、ケース内部でこの外部コネクタとプリンタが有するコネクタとが接続される中継ケーブルとを備えている。
【０００６】
【特許文献１】特開２０００−１７７２０３号公報
【特許文献２】実用登録３１０９８０６号公報
【特許文献３】特開２００３−２５６８５号公報
【発明の開示】
【発明が解決しようとする課題】
【０００７】
しかしながら、特許文献１に記載のラベルプリンタ用キャリングケースは、ラベルプリンタを使用する際には、ケースの蓋体を開けておかなければなければならない。また、蓋体を開けるとラベルプリンタのアクセサリも露出するので、アクセサリがケースから落下する可能性がある。したがって、ラベルプリンタを携帯したまま印刷処理を行うことができない。
【０００８】
特許文献２に記載のケース型鞄も同様に、電子製品を使用する際にケース型鞄を開き、電子製品の使用が終了した後は電子製品をケース型鞄内に収納しなければならない。したがって、電子製品を携帯したまま使用することができない。
【０００９】
一方、特許文献３に記載のキャリングケースは、ケースに収納した状態でプリンタを使用することができる。しかし、プリンタを外部機器に接続する際には、外部機器とケースとを接続するケーブルをさらに用意しなければならない。また、そのケーブルを収納するスペースはない。また、このケースは携帯したまま使用することを前提としていない。
【００１０】
本発明は、上記の事情に鑑みてなされたものであり、電子機器を携帯したままでも容易に使用することができるキャリーバックを提供することを目的とする。
【課題を解決するための手段】
【００１１】
上記の課題を解決するため、本発明では、キャリーバックの内部を第１収納部と第２収納部とに仕切る仕切部材を有し、第１収納部は、プリンタを収納すると共に、プリンタが収納された状態であってもプリンタの操作および排紙が可能であるようにキャリーバック外部に対して露出する部位を有し、第２収納部は、プリンタに接続される接続ケーブルを少なくとも収納可能であり、仕切部材には、接続ケーブルを挿通可能な挿通穴が少なくとも一つ設けられており、接続ケーブルがプリンタに接続され且つ挿通穴を通った状態で接続ケーブルが第２収納部に収納可能であり、さらに第２収納部をキャリーバック外部に対して露出可能とするための開閉部が設けられていることを特徴とするキャリーバックを提供する。
【００１２】
したがって、本発明では、プリンタに接続されている例えばＵＳＢケーブル等のケーブルを、プリンタに接続したまま、キャリーバック外部に取り出すことが可能である。したがって、使用者は、例えばＰＣやＰＤＡや携帯電話等にこのＵＳＢケーブルを接続することにより、プリンタに印刷させることができる。つまり、プリンタ等の電子機器を携帯したまま容易に印刷作業を行うことができる。また、外部機器に接続するために、余分なケーブルを持ち運ぶ必要がなく、必要なケーブルは容易にキャリーバックに収納可能である。
【００１３】
また、本発明に係るキャリーバックでは、第２収納部は、プリンタに使用される部材を収納可能であることを特徴とする。具体的には、プリンタに使用される部材には、プリンタ用の予備電池、プリンタ用の記録紙の少なくともいずれかが含まれる。このような構成により、第２収納部では、プリンタに使用される部材を収納したのち、余った隙間（デッドスペース）に接続ケーブルを収納することができる。したがって、接続ケーブルを収納するためのスペースを余分に設ける必要がないためキャリーバックをコンパクトにすることができる。
【００１４】
プリンタの使用者の肩にかけるための肩掛部をさらに備え、使用者が肩掛部を肩にかけた状態で、第１収納部が上側に第２収納部が下側にそれぞれ配置されることを特徴とする。このような構成により、使用者は、キャリーバックを肩に掛けた状態で、プリンタを手の届く範囲に備え易いので、プリンタを携帯したままの操作がより容易となる。さらに、第２収納部の開閉部（下部開閉部２００Ａ）が、バックの側面に設けられている。このような構成により、開閉部を開けた場合でも、収納物が落下し難くするとともに、使用者が収納物を出し入れしやすくなる。また、開閉部を開けたとしてもプリンタが外部に露出することがない。
【００１５】
また、第１収納部における外部に対して露出する部位には、プリンタの赤外線送受信窓に対応する部位が含まれる。
【００１６】
また、第２収納部には、プリンタ用の予備電池を保持するための予備電池保持部が設けられていることを特徴とする。
【発明の効果】
【００１７】
したがって、本発明では、電子機器を携帯したままでも容易に使用することができるキャリングケースを提供することができる。
【発明を実施するための最良の形態】
【００１８】
以下、図面を参照して本発明に係るキャリーバックについて説明する。
【００１９】
図１は、本発明の実施形態であるキャリーバック１の外観斜視図である。キャリーバック１は、プリンタ等の電子機器を収納すると共に、例えば使用者が肩から掛けて携帯可能であるように構成されている。なお、図１の斜視図では、説明の都合上、前後上下左右方向を図に示すように定義する。また、その定義は全図において有効であるものとする。
【００２０】
キャリーバック１は、収納物の上下前後方向を覆う周面部１０と、左側を覆う左側面部２０と、右側を覆う右側面部（不図示）とを有する。また、キャリーバック１は、その内部に、仕切部４０と予備電池保持部５０を有する。また、キャリーバック１内には、仕切部４０の上側にプリンタが、仕切部４０の下側にプリンタに使用される部材等がそれぞれ収納される。以降、キャリーバック１内における仕切部４０の上側のスペースを上部収納部１００、下側のスペースを下部収納部２００と称す。また、上部収納部１００の出し入れ口を上部開閉部１００Ａ、下部収納部１００の出し入れ口を下部開閉部２００Ａと称す。
【００２１】
周面部１０、左側面部２０、右側面部３０（不図示）は、主として合成繊維による布、ビニールフィルム、ゴム、人工皮革、モルトプレーン等、柔軟性を有する部材で構成されているため、収納されるプリンタ等を外部からの衝撃から保護することができる。また、周面部１０、左側面部２０、右側面部３０は、ケースの形状を維持する目的で、上述のような部材の内部に厚紙等が挟みこまれるように形成されていてもよい。
【００２２】
周面部１０は、キャリーバック１の上方（上蓋部１０ａ）から前方（前面部１０ｂ）へ、さらに下側（底面部１０ｃ）から後方（背面部１０ｄ）にまで延びている。上部開閉部１００Ａは、前面部１０ｂ、背面部１０ｄ、左右側面部、それぞれの上端により囲まれる位置であり、その上部開閉部１００Ａは上蓋部１０ａにより開閉される。
【００２３】
周面部１０には、排紙用開口１１、ボタン・ランプ用開口１２、赤外線用開口１３が設けられており、排紙用開口１１およびボタン・ランプ用開口１２は前面部１０ｂに、赤外線用開口１３は上蓋部１０ａにそれぞれ設けられている。また、左側面部２０には、電源スイッチ用開口２１が設けられている。
【００２４】
なお、本発明の実施形態では、上部収納部１００に収納されるプリンタ２（後述）に対応するように、図１に示す各開口、すなわち排紙用開口１１、ボタン・ランプ用開口１２、赤外線用開口１３、電源スイッチ用開口２１が設けられている。なお、本発明に係るキャリーバックの各開口の位置や種類や数は、図１に示すものに限定されるわけではなく、収納される電子機器に合わせて自由に設計可能である。
【００２５】
左側面部２０にはショルダーストラップ取付部２２が設けられている。右側面部３０にも同様にショルダーストラップ取付部が設けられている（不図示）。キャリーバック１の使用者は、ショルダーストラップ取付部に巻回する等して取り付けられたショルダーストラップを用いることによりキャリーバック１を肩から掛けることができ、プリンタ２を携帯することができる。
【００２６】
周面部１０の左側縁部には、ファスナ部１０Ｆが設けられている。ファスナ部１０Ｆは、周面部１０の前面部１０ｂの中央付近から底面部１０ｃを通って背面部１０ｄの中央付近まで延びるよう設けられている。また、左側面部２０の縁部内側には、周面部１０のファスナ部１０Ｆに対応するように、ファスナ部２０Ｆが設けられている。ファスナ部１０Ｆ、２０Ｆを開閉することにより、下部開閉部２００Ａを開閉可能な状態とすることができる。なお、図１ではファスナ部１０Ｆ、２０Ｆは開かれると共に、且つ左側面部２０の下側がキャリーバック１の外側に引き出されて開かれている状態を示している。
【００２７】
図１のような状態とすることにより、例えば、接続ケーブル、プリンタ用の予備電池、ロール紙等の収納物を下部開閉部２００Ａから出し入れすることができる。また、下部開閉部２００Ａは、キャリーバック１の側面（左側）に設けられているため、使用者はキャリーバック１を肩から掛けたままでも接続ケーブルを出し入れすることが可能である。また、下部開閉部２００Ａは、上部開閉部１００Ａとは独立して配置されているため、プリンタ２を収納したままで、下部収納部２００の収納物を出し入れすることができる。また、下部収納部２００の底部は、例えば、収納されるロール紙の形状に合わせて湾曲した形状であってもよい。
【００２８】
図２（ａ）はキャリーバック１の正面図であり、図２（ｂ）は左側面図である。仕切部４０は、周面部１０や左側面部２０や右側側面部３０に固定されている。仕切部４０は、例えば、接着剤により固着される。
【００２９】
予備電池保持部５０は、仕切部４０の下面に設けられ下部開閉部２００Ａ側に開口した一種のポケットであり、予備電池Ｃはその一端が予備電池保持部５０から所定量突出した状態で保持されるようになっている。このような構成により、使用者は下部開閉部２００Ａにおいて予備電池Ｃを掴みやすい。
【００３０】
下部収納部２００には、例えば、ロール紙Ｒが収納される。下部収納部２００には、ロール紙Ｒが収納された状態では、図２（ｂ）において斜線部で示したようなデッドスペースＳが生じる。本発明の実施形態では、このデッドスペースＳを利用してプリンタ２に使用される接続ケーブルを収納することができる。このような構成によれば、接続ケーブルを収納するためだけのスペースを別途設けなくとも、接続ケーブルを収納することができるので、キャリーバック１のサイズを小さくすることができる。
【００３１】
図３は、仕切部４０を上方から見た図である。仕切部４０は、ケーブル用開口４１を有する。ケーブル用開口４１は、予備電池保持部５０とは重複しない位置に配置される。本発明の実施形態においては、キャリーバック１の表面の他の開口同様、ケーブル用開口４１の位置はプリンタ２に合わせて形成されている。ケーブル用開口４１は、例えば、ＵＳＢケーブルのプラグを挿通可能なサイズに形成されている。また、ケーブル用開口４１は、ＵＳＢケーブルのプラグに密着するような形状でもよい。その場合、プリンタ２にＵＳＢケーブルを接続した状態では、ＵＳＢケーブルがケーブル用開口４１により仕切部４０の面に平行な方向に固定されるため、プリンタ２もその方向に固定される（位置決めされる）。すなわち、移動時の傾きや振動等があってもプリンタ２の位置ずれを防ぐことができる。
【００３２】
図４は、キャリーバック１の上部収納部１００に収納されるプリンタ２の外観図である。図４（ａ）は前面図、図４（ｂ）は上面図、図４（ｃ）は下面図、図４（ｄ）は左側面図、図４（ｅ）は右側面図である。なお、プリンタ２の上下前後左右方向は、キャリーバック１で定義した方向に合わせるように定義している。
【００３３】
プリンタ２は、前面に、ＦＥＥＤボタン２０１、ＣＨＡＲＧＥボタン２０２、エラー表示ＬＥＤ２０３、電源ＬＥＤ２０４を有する。それらは、キャリーバック１のボタン・ランプ用開口１２の位置に対応する。したがって、キャリーバック１の外部からでも、各ボタンを操作できると共に、各ＬＥＤを見ることができる。
【００３４】
また、プリンタ２は、上面に、赤外線受光部２０５を有し、それはキャリーバック１の赤外線用開口１３に対応する。したがって、プリンタ２をキャリーバック１に収納したままでも、プリンタ２は、赤外線通信に対応するＰＣやＰＤＡや携帯電話等の外部機器との通信が可能となり、印刷データ等を受信して印刷を実行することができる。
【００３５】
また、プリンタ２は、左側面に、メインスイッチ２０６を有し、それはキャリーバック１の電源スイッチ用開口２１に対応する。また、プリンタ２は、前面に、排紙口２０７を有し、それはキャリーバック１の排紙用開口１１に対応する。キャリーバック１の排紙用開口１１は、プリンタ２の排紙口２０７よりも若干大きいほうがよい。排紙用開口１１が広いほうが、プリンタ２の排紙口２０７に備えられたカッターを用いてプリンタ用紙を切断しやすい。また、プリンタ２は、下側に、ＡＣアダプタを接続するためのＡＣコネクタ２０８を有する。
【００３６】
また、プリンタ２は、下側に、ＵＳＢコネクタ２０９を有する。ＵＳＢコネクタ２０９の位置はケーブル用開口４１に対応する。プリンタ２に接続されたＵＳＢケーブルは、ケーブル用開口４１を通って下部収納部２００に収納される。使用者は、このＵＳＢケーブルを外部機器に接続したい場合は、ＵＳＢケーブルの他端を下部開閉部２００Ａからキャリーバック１外部に取り出す。そして、例えばＰＣやＰＤＡや携帯電話等の外部機器に接続する。それら外部機器から印刷データ等を受信して印刷を実行することができる。このような構成により、プリンタ２をキャリーバック１から取り出すことなく、また、プリンタ２に接続されているＵＳＢケーブル以外に中継のためのケーブル等を用いることなく、外部機器との通信が可能となる。したがって、本発明に係るキャリーバック１を用いれば、プリンタ２を収納および携帯したまま使用することができる。
【００３７】
本発明に係るキャリーバック１では、仕切部４０に設けられたケーブル用開口４１は一つであったが、複数設けてもよい。例えば、仕切部４０にさらにＡＣコネクタ２０８用の開口を設けてもよい。このようにすれば、プリンタ２をキャリアバック１外部に取り出さなくても、ＡＣコネクタ２０８にＡＣアダプタの接続ケーブルを接続して充電することができる。
【００３８】
したがって、本発明のキャリーバックでは、電子機器を予備消耗品やアクセサリと一緒に手軽に持ち運ぶことができ、収納スペースの有効活用によるコンパクトなキャリーバックを実現できる。また、移動時の機器の位置ずれによるトラブルを防ぐことができる。
【図面の簡単な説明】
【００３９】
【図１】本発明の実施形態のキャリーバックの外観斜視図である。
【図２】キャリーバックの正面図（ａ）および左側面図（ｂ）である。
【図３】仕切部を上方から見た図である。
【図４】キャリーバックに収納されるプリンタの外観図である。
【符号の説明】
【００４０】
１  キャリーバック
２  プリンタ
１０  周面部
１１  排紙用開口
１２  ボタン・ランプ用開口
１３  赤外線用開口
２０  左側面部
２１  電源スイッチ用開口
２２  ショルダーストラップ取付部
４０  仕切部
５０  予備電池保持部
１００  上部収納部
１００Ａ  上部開閉部
２００  下部収納部
２００Ａ  下部開閉部
【図１】
2007210280.tif 000003
【図２】
2007210280.tif 000004
【図３】
2007210280.tif 000005
【図４】
2007210280.tif 000006